(57)【要約】【課題】簡便な接続操作で複数の機器同士を接続して主情報機器との接続体制を容易に確立可能にする映像処理装置と情報機器との接続方法、または、映像処理装置と情報機器との接続システムを提供し、このような接続方法および接続システムに適応した映像処理装置および情報機器を提供する。【解決手段】主情報機器１を副情報機器３と映像処理装置２に接続する際に、主情報機器１に予め副情報機器３を特定する情報を登録しておき、主情報機器１から副情報機器３を特定する情報を含む自動接続命令を発信し、映像処理装置２が関連する情報機器３を自動的に探索して接続して、主情報機器１に接続が完了したことを報知する構成の接続方法および接続システムとした。【選択図】図１
2015019198.tif 000002
【特許請求の範囲】
【請求項１】
複数の情報機器と映像処理装置とを接続して同時に使用するときに適用される映像処理装置と情報機器との接続方法であって、
主情報機器を副情報機器と映像処理装置に接続する際に、主情報機器に予め副情報機器を特定する情報を登録しておく登録工程と、
主情報機器から副情報機器を特定する情報を含む自動接続命令を発信する自動接続命令発信工程と、
自動接続命令を受信した前記映像処理装置が独自に自動接続を受け入れることを決定する自動接続受け入れ決定工程と、
自動接続を受け入れた前記映像処理装置が関連する副情報機器を探索して接続する自動接続工程と、
副情報機器との接続を完了した前記映像処理装置が主情報機器に接続が完了したことを送信する接続完了送信工程と、
当該接続完了送信を受け取った主情報機器が、前記映像処理装置と副情報機器との接続が完了したことを認識する接続完了認識工程と、
を有することを特徴とする映像処理装置と情報機器との接続方法。
【請求項２】
主情報機器と副情報機器及び前記映像処理装置は共にＵＤＰ通信可能であり、前記自動接続命令発信工程はＵＤＰ通信方式により、所定のパケットデータを複数回連続して発信する連続送信であって、前記自動接続受け入れ決定工程は、同じ前記パケットデータを予め定める所定回数受信することにより自動接続の受け入れを決定することを特徴とする請求項１に記載の映像処理装置と情報機器との接続方法。
【請求項３】
主情報機器と副情報機器及び前記映像処理装置は共にＵＤＰ通信可能であり、前記自動接続命令発信工程はＵＤＰ通信方式により、複数に分割したパケットデータに連続的なパケットナンバーを付して発信する連続送信であって、最後のパケットデータに送信完了情報を添付すると共に、前記自動接続受け入れ決定工程は、連続した前記パケットデータの全てと前記送信完了情報を受信したことを確認することにより自動接続の受け入れを決定することを特徴とする請求項１または２に記載の映像処理装置と情報機器との接続方法。
【請求項４】
前記自動接続工程は、受信した副情報機器を特定する情報が所定回数一致したことを確認する情報一致確認処理後に実行されることを特徴とする請求項１から３のいずれかに記載の映像処理装置と情報機器との接続方法。
【請求項５】
主情報機器が、前記映像処理装置と副情報機器との接続が完了したことを認識した後、主情報機器は映像信号と音声信号を発信し、前記映像処理装置は映像信号を受信して映像を表示し、副情報機器は音声信号を受信して音声を出力することを特徴とする請求項１から４のいずれかに記載の映像処理装置と情報機器との接続方法。
【請求項６】
副情報機器は複数であって、前記映像処理装置は、複数の副情報機器を接続機器として認識することを特徴とする請求項１から５のいずれかに記載の映像処理装置と情報機器との接続方法。
【請求項７】
前記自動接続工程が成功しない場合には、前記映像処理装置が単独に主情報機器と接続されることを特徴とする請求項１から６のいずれかに記載の映像処理装置と情報機器との接続方法。
【請求項８】
複数の情報機器と映像処理装置とを接続して同時に使用するときに適用される映像処理装置と情報機器との接続システムであって、
主情報機器を副情報機器と映像処理装置に接続する際に、主情報機器に予め副情報機器を特定する情報を登録しておく登録手段と、
主情報機器から副情報機器を特定する情報を含む自動接続命令を発信する自動接続命令発信手段と、
自動接続命令を受信した前記映像処理装置が独自に自動接続を受け入れることを決定する自動接続受け入れ決定手段と、
自動接続を受け入れた前記映像処理装置が関連する副情報機器を探索して接続する自動接続手段と、
副情報機器との接続が完了した前記映像処理装置が主情報機器に接続が完了したことを送信する接続完了送信手段と、
当該接続完了送信を受け取った主情報機器が、前記映像処理装置と副情報機器との接続が完了したことを認識する接続完了認識手段と、
を有することを特徴とする映像処理装置と情報機器との接続システム。
【請求項９】
請求項１から７のいずれかに記載の映像処理装置と情報機器との接続方法に好適に用いられる映像処理装置であって、
前記映像処理装置は、主情報機器と副情報機器を含む複数の機器と相互に通信可能に接続する通信部と、該通信部を介して取得した映像情報を表示する映像表示部とを備え、
主情報機器が発信する副情報機器を特定する情報を含む自動接続命令を受信する受信部と、
当該自動接続命令を受信して自動接続の受け入れを決定する自動接続受け入れ決定部と、
自動接続を受け入れて関連する副情報機器を探索して自動接続する自動接続部と、
副情報機器との接続を完了したことを送信する接続完了送信部と、
を有することを特徴とする映像処理装置。
【請求項１０】
請求項１から７のいずれかに記載の映像処理装置と情報機器との接続方法に好適に用いられる情報機器であって、
副情報機器を特定する情報を予め登録しておく登録部と、
前記映像処理装置と副情報機器を含む複数の機器と相互に通信可能な通信部と、
副情報機器を特定する情報を含む自動接続命令を発信する自動接続命令発信部と、
自動接続命令を受け入れて副情報機器を探索して接続した前記映像処理装置が発信する接続完了信号を受信して、前記映像処理装置と副情報機器との接続が完了したことを認識する接続完了認識部と、
を有することを特徴とする情報機器。
【発明の詳細な説明】
【技術分野】
【０００１】
本発明は、映像処理装置と情報機器との接続方法、接続システムに関し、さらに、これらに好適に適用される映像処理装置および情報機器に関する。
【背景技術】
【０００２】
近年、多種多様なアプリケーションを備えたスマートフォンなどの高機能通信端末が開発されている。また、タブレットＰＣなどの携帯可能な高機能情報機器（以後、これらを情報機器と総称する）も開発されており、このような情報機器の高機能化に伴って、ユーザーは様々なアプリケーションを利用できるようになっている。
【０００３】
また、ＴＶ装置のデジタル化に伴い、このＴＶ装置に情報機器を接続してこれらの情報機器が保存するアプリケーション情報や映像データなどを表示させることが行われている。また、ＴＶ装置などの映像処理装置と情報機器との相互の表示内容を同じにするミラーリング機能や、複数の映像処理装置に同時に同じ画面を表示するミラーリングディスプレイ機能が在る。
【０００４】
さらに、映像再生する一つの情報機器から、映像と音声を異なる映像処理装置と音声出力機器に、別々に出力する機能も存在する。このように、複数の、例えば３台の機器を接続する際には、映像処理装置と音声出力機器で１回接続を確立し、その後、情報機器と、映像処理装置と音声出力機器とで１回接続を確立する合計２回の接続操作が必要である。
【０００５】
また、不特定の周辺装置に同時に問い合わせ信号を送信し、応答のあった周辺装置を選択して通信することも行われている。例えば、一つの送信元から複数の情報端末装置に所望のデータを送信する際に、通信到達距離を複数段階に変化させながら問い合わせメッセージを無線送信して、応答メッセージを受け取ると共に、応答メッセージの受信状態又は受信頻度の情報に基づいて、無線通信の接続対象となる通信機器を選択する通信方法が既に提案されている（例えば、特許文献１参照）。
【先行技術文献】
【特許文献】
【０００６】
【特許文献１】特開２００４−１５６５４号公報
【発明の概要】
【発明が解決しようとする課題】
【０００７】
ユーザーが所有する一つの情報機器から、映像と音声を異なる映像処理装置と音声出力機器に別々に出力する場合に、自宅にある映像処理装置と音声出力機器に対しては、予め、相互に接続可能に設定しておくことで、接続操作を容易に行うことができる。
【０００８】
しかし、自宅ではなく外部にある映像処理装置や音声出力機器にユーザーが所有する情報機器を接続する際には、新たな接続操作が必要であり、さらには、ユーザーが所有する情報機器とそれぞれの映像処理装置や音声出力機器を接続する操作と、同時に使用する映像処理装置と音声出力機器との接続操作も必要となって、複数の異なる接続操作が必要になるという問題がある。
【０００９】
特許文献１に記載されている従来の方法では、不特定の相手に問い合わせメッセージを無線送信して、応答メッセージを受け取った後、接続状態を確立するので、通信を開始する前に、予め接続状態を確立しておくことには変わりはない。
【００１０】
すなわち、従来方法では、それぞれの機器毎に接続状態を予め通信可能に確立した後、相互に通信を開始する構成であり、一つの情報機器（主情報機器）を副情報機器や映像処理装置や音声出力機器などの複数の機器を接続（カップリング）する際には、複数回の接続操作が必要になってしまい、接続操作が簡単ではない。
【００１１】
そのために、より簡便な接続操作により主情報機器を映像処理装置を含む他の複数の機器と通信可能に接続して利便性を高めることが好ましく、例えば、１回の接続操作により主情報機器を映像処理装置や副情報機器を含む複数の機器と通信可能に接続する映像処理装置と情報機器との接続方法、または、映像処理装置と情報機器との接続システムであることが望まれる。また、このような接続方法および接続システムに適応した映像処理装置および情報機器であることが望まれる。
【００１２】
本発明は、上記問題点に鑑み、主情報機器を映像処理装置を含む他の複数の機器と接続して使用する際に、簡便な接続操作で複数の機器同士を接続して主情報機器との接続体制を容易に確立可能にする映像処理装置と情報機器との接続方法、または、映像処理装置と情報機器との接続システムを提供し、また、このような接続方法および接続システムに適応した映像処理装置および情報機器を提供することを目的とする。
【課題を解決するための手段】
【００１３】
上記目的を達成するために本発明は、複数の情報機器と映像処理装置とを接続して同時に使用するときに適用される映像処理装置と情報機器との接続方法であって、主情報機器を副情報機器と映像処理装置に接続する際に、主情報機器に予め副情報機器を特定する情報を登録しておく登録工程と、主情報機器から副情報機器を特定する情報を含む自動接続命令を発信する自動接続命令発信工程と、自動接続命令を受信した映像処理装置が独自に自動接続を受け入れることを決定する自動接続受け入れ決定工程と、自動接続を受け入れた映像処理装置が関連する副情報機器を探索して接続する自動接続工程と、副情報機器との接続を完了した映像処理装置が主情報機器に接続が完了したことを送信する接続完了送信工程と、接続完了送信を受け取った主情報機器が映像処理装置と副情報機器との接続が完了したことを認識する接続完了認識工程とを有する接続方法としたことを特徴としている。
【００１４】
この構成によると、ユーザーが有する主情報機器を副情報機器と映像処理装置に接続する際に、予め所定の機器を登録しておき、初めて接続する映像処理装置に対して自動接続命令を発信するだけで、この映像処理装置が接続すべき副情報機器を独自に探索して自動的に接続して、接続操作が完了する。すなわち、自動接続命令を発信するだけの簡便な接続操作で、複数の機器同士を接続して主情報機器との接続体制を容易に確立可能にする映像処理装置と情報機器との接続方法を得ることができる。
【００１５】
また本発明は上記構成の映像処理装置と情報機器との接続方法において、主、副の情報機器及び映像処理装置は共にＵＤＰ通信可能であり、自動接続命令発信工程はＵＤＰ通信方式により、所定のパケットデータを所定回数以上の複数回連続して発信する連続送信であって、自動接続受け入れ決定工程は、同じパケットデータを予め定める所定回数受信することにより自動接続の受け入れを決定することを特徴としている。この構成によると、送達応答せず接続関係を確立しないＵＤＰ通信方式による簡便な自動接続命令発信手段であっても、これを複数回連続して発信し、映像処理装置がこの自動接続命令発信を所定回数受信した時に、自動接続を受け入れることを決定するので、誤作動する可能性を低くすることができる。
【００１６】
また本発明は上記構成の映像処理装置と情報機器との接続方法において、主、副の情報機器及び映像処理装置は共にＵＤＰ通信可能であり、自動接続命令発信工程はＵＤＰ通信方式により、複数に分割したパケットデータに連続的なパケットナンバーを付して発信する連続送信であって、最後のパケットデータに送信完了情報を添付すると共に、自動接続受け入れ決定工程は、連続したパケットデータの全てと送信完了情報を受信したことを確認することにより自動接続の受け入れを決定することを特徴としている。この構成によると、送達応答せず接続関係を確立しないＵＤＰ通信方式による簡便な自動接続命令発信であっても、複数のパケットデータを連続して発信し、映像処理装置がこのパケットデータを全て受信した時に、自動接続を受け入れることを決定するので、誤作動する可能性を低くすることができる。
【００１７】
また本発明は上記構成の映像処理装置と情報機器との接続方法において、前記自動接続工程は、受信した副情報機器を特定する情報が所定回数一致したことを確認する情報一致確認処理後に実行されることを特徴としている。この構成によると、送達応答せず接続関係を確立しないＵＤＰ通信方式による簡便な通信方法であっても、同一データを所定回数受信した時に、接続する副情報機器を特定して自動接続工程を実行するので、誤作動する可能性が低くなって、所望される副情報機器を正しく認識して問題なく接続することが可能になる。
【００１８】
また本発明は上記構成の映像処理装置と情報機器との接続方法において、主情報機器が、映像処理装置と副情報機器との接続が完了したことを認識した後、主情報機器は映像信号と音声信号を発信し、映像処理装置は映像信号を受信して映像を表示し、副情報機器は音声信号を受信して音声を出力することを特徴としている。この構成によると、優れた映像表示機能を有する映像処理装置に映像を表示し、優れた音声出力機能を有する音声出力機器に音声を出力させることができる。従って、各種の情報機器の特性を効率的に利用して情報の再生を行うことが可能になる。
【００１９】
また本発明は上記構成の映像処理装置と情報機器との接続方法において、副情報機器は複数であって、映像処理装置は、複数の副情報機器を接続機器として認識することを特徴としている。この構成によると、映像処理装置を例えばゲーム機器の映像処理装置として用い、１台のコントローラー親機と複数のコントローラー子機を一斉に用いて同時に多人数で操作することができる。
【００２０】
また本発明は上記構成の映像処理装置と情報機器との接続方法において、自動接続工程が成功しない場合には、映像処理装置が単独に主情報機器と接続されることを特徴としている。この構成によると、接続すべき他の機器がないことを確認した場合や、近くに接続すべき副情報機器がなくて接続できない場合には、主情報機器と映像処理装置とが１：１に接続可能になる。
【００２１】
また本発明は、複数の情報機器と映像処理装置とを接続して同時に使用するときに適用される映像処理装置と情報機器との接続システムであって、主情報機器を副情報機器と映像処理装置に接続する際に、主情報機器に予め副情報機器を登録しておく登録手段と、主情報機器から副情報機器を特定する情報を含む自動接続命令を発信する自動接続命令発信手段と、自動接続命令を受信した映像処理装置が独自に自動接続を受け入れることを決定する自動接続受け入れ決定手段と、自動接続を受け入れた映像処理装置が関連する副情報機器を探索して接続する自動接続手段と、副情報機器との接続が完了した映像処理装置が主情報機器に接続が完了したことを送信する接続完了送信手段と、当該接続完了送信を受け取った主情報機器が映像処理装置と副情報機器との接続が完了したことを認識する接続完了認識手段とを有する接続システムとしたことを特徴としている。
【００２２】
この構成によると、ユーザーが有する主情報機器を副情報機器と映像処理装置に接続する際に、登録手段を介して予め副情報機器を特定する情報を登録しておき、自動接続命令発信手段を介して副情報機器を特定する情報を含む自動接続命令を発信し、自動接続受け入れ決定手段と自動接続手段を介して接続すべき副情報機器を映像処理装置が独自に探索して接続可能になる。また、映像処理装置が接続完了送信手段を介して接続が完了したことを主情報機器に送信するので、簡便な接続操作で複数の機器同士を接続して主情報機器との接続体制を容易に確立可能にする映像処理装置と情報端末装置との接続システムを得ることができる。
【００２３】
また本発明は、上記構成の映像処理装置と情報機器との接続方法に好適に用いられる映像処理装置であって、前記映像処理装置は、主情報機器と副情報機器とを含む複数の機器と相互に通信可能に接続する通信部と、該通信部を介して取得した映像情報を表示する映像表示部とを備え、主情報機器が発信する副情報機器を特定する情報を含む自動接続命令を受信する受信部と、当該自動接続命令を受信して自動接続の受け入れを決定する自動接続受け入れ決定部と、自動接続を受け入れて関連する副情報機器を探索して自動接続する自動接続部と、副情報機器との接続を完了したことを送信する接続完了送信部と、を有することを特徴としている。
【００２４】
この構成によると、主情報機器が発信する副情報機器を特定する情報を含む自動接続命令を受信して自動接続の受け入れを決定するので、簡便な接続操作により副情報機器との接続を容易に確立することが可能になる。
【００２５】
また本発明は上記構成の映像処理装置と情報機器との接続方法に好適に用いられる情報機器であって、副情報機器を特定する情報を予め登録しておく登録部と、映像処理装置と副情報機器を含む複数の機器と相互に通信可能な通信部と、副情報機器を特定する情報を含む自動接続命令を発信する自動接続命令発信部と、自動接続命令を受け入れて副情報機器を探索して接続した映像処理装置が発信する接続完了信号を受信して、映像処理装置と副情報機器との接続が完了したことを認識する接続完了認識部、を有することを特徴としている。
【００２６】
この構成によると、副情報機器を特定する情報を含む自動接続命令を発信する簡便な構成であっても、映像処理装置がこの自動接続命令を受信して自動接続を受け入れることを決定して副情報機器を探索して接続するので、映像処理装置と関連する副情報機器との接続操作を容易に確立することができる。すなわち、簡便な接続操作で複数の機器同士を容易に接続する映像処理装置と情報機器との接続方法に適した情報機器（主情報機器）を得ることができる。
【発明の効果】
【００２７】
本発明によれば、簡便な接続操作で複数の機器同士を接続して主情報機器との接続体制を容易に確立可能にする映像処理装置と情報機器との接続方法、および、映像処理装置と情報機器との接続システムを得ることができる。また、このような接続方法および接続システムに適応した映像処理装置および情報機器を得ることができる。
【図面の簡単な説明】
【００２８】
【図１】本発明に係る映像処理装置と情報機器との接続方法により有効に接続された形態を示す概略説明図である。
【図２】図１に示す映像処理装置と情報機器の内部構成を示すブロック図である。
【図３】図１に示す映像処理装置と情報機器の接続工程を説明するフローチャートである。
【図４】主情報機器に副情報機器を登録する操作を説明するシーケンス図である。
【図５】本発明に係る映像処理装置と情報機器との接続操作を説明するシーケンス図である。
【図６】従来方法による映像処理装置と情報機器との接続操作を説明するシーケンス図である。
【図７】本発明に係る映像処理装置と情報機器との接続操作における自動接続受け入れが完了するまでの第１実施形態例を示すフローチャートである。
【図８】本発明に係る映像処理装置と情報機器との接続操作における自動接続受け入れが完了するまでの第２実施形態例を示すフローチャートである。
【図９】本発明の好ましい第１の適用例を説明する概略説明図である。
【図１０】本発明の好ましい第２の適用例を説明する概略説明図である。
【図１１】本発明の好ましい第３の適用例を説明する概略説明図である。
【発明を実施するための形態】
【００２９】
以下に本発明の実施形態を図面を参照して説明するが、本発明はこれにより何ら制限されるものではない。また、同一構成部材については同一の符号を用い、重複する説明は適宜省略する。まず本実施形態に係る映像処理装置と情報機器との接続方法および接続システムの構成について、図１を用いて説明する。
【００３０】
本実施形態に係る接続方法および接続システムは、複数の情報機器と映像処理装置とを接続して同時に使用するときに適用される映像処理装置と情報機器との接続方法および接続システムである。例えば、図１に示すように、主情報機器１に映像処理装置２と副情報機器３を無線通信部（有線通信部でもよい）を介して相互に通信可能に接続して、主情報機器１が有する映像データや音声データなどの各種データを映像処理装置２と副情報機器３に同時にミラーリングするようにしたものである。
【００３１】
ただし、これらの複数の機器を接続する際に、主情報機器１による１回の接続操作指令により、映像処理装置２が自動的に副情報機器３を探索して接続して、主情報機器１に接続が完了したことを報知して、ミラーリング開始を可能にしたものである。すなわち、主情報機器１と映像処理装置２との通信確立前に、映像処理装置２と副情報機器３との自動接続を可能にして、主情報機器１との接続体制を確立可能にしたものである。
【００３２】
ここで、主情報機器１は、例えば、映像再生機器であり、副情報機器３は、高機能な音声出力機器である。そのために、本実施形態によれば、主情報機器１が出力する映像データを、例えば、優れた表示機能を有する映像処理装置２に表示し、音声データは、優れた音声出力機能を有する副情報機器３を介して出力できる。また、主情報機器１や副情報機器３は、スマートフォンやタブレット端末や、その他の携帯可能な高機能情報機器であってもよい。
【００３３】
図１に示す実施形態では、主情報機器１は、映像再生機器であって、映像データと音声データを出力する。そして、映像処理装置２は、主情報機器１が出力する映像情報通信Ｕ２を受信して所定の映像を表示し、副情報機器３は、主情報機器１が出力する音声情報通信Ｕ１を受信して所定の音声を出力する。
【００３４】
すなわち、主情報機器１は、映像処理装置２と副情報機器３を含む複数の機器と相互に通信可能な通信部を有し、映像処理装置２に映像データを送信して表示させ、副情報機器３に音声データを送信して音声出力させることができる。このように、本実施形態によれば、映像処理装置２と副情報機器３に対して映像と音声を別々にミラーリング可能になる。この際に、映像処理装置２と副情報機器３とは、自動接続操作Ｃ１を介して自動的に接続（カップリング）された状態となる。
【００３５】
次に、図２に示すブロック図を用いて主情報機器１と映像処理装置２と副情報機器３の内部構成について説明する。
【００３６】
主情報機器１は、デコーダ１１、VIDEO MEMORY１２、映像表示部１３、記憶装置１４、エンコ−ダ１５、無線／有線通信部１６、TOUCH PANEL １７、メイン制御部１８を有し、映像処理装置２は、デコーダ２１、映像表示部２２、記憶装置２３、無線／有線通信部２４、TOUCH PANEL ２５（リモコンを含む）、メイン制御部２６を有する。また、副情報機器３は、TOUCH PANEL ３１（KEYPAD含む）、無線／有線通信部３２、ＤＳＰ３３、AUDIO CODEC ３４、ＡＭＰ３５、SPEAKER ３６を有する。
【００３７】
無線／有線通信部１６、２４、３２が有する無線通信部は近距離無線通信が可能であればよく、例えば、無線ＬＡＮ（ＷｉＬＡＮやＷｉＦｉ）やBluetooth（登録商標）やＺｉｇＢｅｅ（登録商標）などの無線通信方式を採用することができる。また、有線通信部は、例えば、ＵＳＢ規格に応じた有線通信方式であるが、ＨＤＭＩ（登録商標）（ハイデフニッションマルチメディアインタフェース）方式やＭＨＬ（モバイルハイデフニションリンク）方式でも、ＤｉｓｐｌａｙＰｏｒｔ規格に応じた有線通信方式でも、Ｔｈｕｎｄｅｒｂｏｌｔ規格に応じた有線通信方式であってもよい。
【００３８】
そして、主情報機器１の操作ＯＰ１はTOUCH PANEL １７を介して行い、映像処理装置２の操作ＯＰ２はTOUCH PANEL ２５（リモコンを含む）を介して行い、副情報機器３の操作ＯＰ３はTOUCH PANEL ３１（KEYPAD含む）を介して行う。
【００３９】
また、主情報機器１は、記憶装置１４に記憶しているデータをデコーダ１１を介して復号して映像表示部１３出力してもよいが、デコーダ１１に外部から新たなデータＤ１を入力して、このデータＤ１を復号して出力することも可能である。また、主情報機器１はミラーリング機能を有しており、主情報機器１からエンコーダ１５により圧縮されたデータを無線／有線通信部１６を介して映像処理装置２へ送信して画像データをミラーリングし、主情報機器１から副情報機器３へは音声データを同様に送信してミラーリング可能にしている。
【００４０】
例えば音声出力機器である副情報機器３が有するＤＳＰ３３は、デジタル信号を処理するプロセッサー（Digital Signal Processor）であり、Audio Codec ３４は音声データの符号化と復号を双方向に可能にするものであり、ＡＭＰ３５は増幅器である。
【００４１】
また、親機となる主情報機器１を介して行う１回の接続操作指令により、映像処理装置２と副情報機器３とを自動的に接続させ、さらに、主情報機器１が、映像処理装置２と副情報機器３との接続が完了したことを認識した後、所定のミラーリング操作を実行するために、本実施形態では図３のフローチャートに示すような接続工程を実行するように構成している。
【００４２】
すなわち、操作がスタートされると、主情報機器１に予め副情報機器３を登録していない場合には、主情報機器１に副情報機器３を特定する情報を登録する登録工程Ｓ１を実行し、次に、主情報機器１から副情報機器３を特定する情報（登録データ）を含む自動接続命令を発信する自動接続命令発信工程Ｓ２と、自動接続命令を受信した映像処理装置２が独自に自動接続を受け入れることを決定する自動接続受け入れ決定工程Ｓ３と、自動接続を受け入れた映像処理装置２が対応する副情報機器３を探索して接続する自動接続工程Ｓ４と、自動接続操作を実行した映像処理装置２が主情報機器１に接続完了信号を送信する接続完了送信工程Ｓ５と、接続完了信号を受け取った主情報機器１が、映像処理装置２と副情報機器３との接続操作が完了したことを認識する接続完了認識工程Ｓ６とを有する接続方法としている。
【００４３】
この構成の接続方法であれば、ユーザーが有する主情報機器１を副情報機器３と映像処理装置２に接続する際に、予め所定の情報機器３を登録しておき、初めて接続する外部の映像処理装置２に対してこの副情報機器３を特定する情報を含む自動接続命令を発信するだけで、この主情報機器１に接続可能な映像処理装置２が独自に自動接続を受け入れて、副情報機器３を探索して自動的に接続し、接続が完了するので、１回の簡便な接続操作で複数の機器（１と２と３）を一体に使用する接続体制を確立可能にする映像処理装置と情報機器との接続方法を得ることができる。
【００４４】
また、自動接続命令発信工程Ｓ２はトランスポート層プロトコルとしてＵＤＰ（User Datagram Protocol）を用いて相手方装置と通信可能にしている。すなわち、主情報機器１や副情報機器３及び映像処理装置２は共にＵＤＰ通信可能であり、自動接続命令発信工程はＵＤＰ通信方式により、所定のパケットデータを複数回連続して送信する連続送信である。さらに、自動接続受け入れ決定工程は、同じパケットデータを予め定める所定回数受信することにより自動接続の受け入れを決定するようにしている。このような構成であれば、送達応答せず接続関係を確立しないＵＤＰ通信方式による簡便な自動接続命令発信であっても、これを複数回連続して発信し、映像処理装置２がこの自動接続命令発信を所定回数受信した時に、自動接続を受け入れることを決定するので、誤作動する可能性が低くなって、主情報機器１と映像処理装置２と副情報機器３との３台の機器を一体に接続する際に、映像処理装置２と副情報機器３との接続を容易に確立することができる。
【００４５】
上記の例では、１個のパケットデータを複数回送信する実施形態であるが、自動接続命令を複数のパケットデータに分割した場合には、これらのパケットデータにパケットNo.を付して副情報機器３を特定する情報を含めて送信し、最後のパケットデータに送信完了信号を付すことにより、全てのパケットNo.のパケットデータおよび送信完了信号を受け取っ
た際に、自動接続受け入れを決定するようにしてもよい。
【００４６】
この場合は、複数に分割されたパケットデータを１回ずつ送信して全てのデータを受け取った時に自動接続受け入れを決定してもよく、また、それぞれのパケットデータをそれぞれ複数回送信して、所定回数一致した時に自動接続受け入れを決定してもよい。いずれの場合でもあっても、副情報機器３を特定する情報を含む自動接続命令を複数回受信して、これらの情報が所定回数一致することを確認することは同じである。
【００４７】
すなわち、主情報機器１や副情報機器３及び映像処理装置２は共にＵＤＰ通信可能であり、自動接続命令発信工程はＵＤＰ通信方式により、複数のパケットデータに連続的なパケットナンバーを付して送信する連続送信であって、最後のパケットデータに送信完了情報を添付すると共に、自動接続受け入れ決定工程は、連続したパケットデータの全てと送信完了情報を受信することにより自動接続の受け入れを決定してもよい。この構成であれば、送達応答せず接続関係を確立しないＵＤＰ通信方式による簡便な自動接続命令発信手段であっても、これを複数のパケットに分割して連続して発信し、外部の映像処理装置２がこの自動接続命令発信を全て受信した時に、自動接続を受け入れることを決定するので、誤作動する可能性が低くなって、主情報機器１と映像処理装置２と副情報機器３との３台の機器を一体に接続する際に、映像処理装置２と副情報機器３との接続を容易に確立することができる。
【００４８】
また、ＵＤＰ通信方式により、副情報機器３を特定する情報（登録データ）を含む自動接続命令を発信するが、自動接続工程Ｓ４は、受信した副情報機器３を特定する情報が所定回数一致したことを確認する情報一致確認処理後に実行されるようにしている。この構成であれば、送達応答せず接続関係を確立しないＵＤＰ通信方式による簡便な登録データ受信方法であっても、同一データを所定回数受信した時に、接続する副情報機器３を特定して自動接続工程を実行するので、誤作動する可能性が低くなって、予め登録された所望される副情報機器３を正しく認識して問題なく接続することが可能になる。
【００４９】
次に、これらの接続方法および接続システムについて図４〜図６に示すシーケンス図を用いて説明する。図４は主情報機器に副情報機器を登録する操作を説明するシーケンス図であり、図５は本発明に係る映像処理装置と情報機器との接続操作を説明するシーケンス図であり、図６は、従来方法による映像処理装置と情報機器との接続操作を説明するシーケンス図である。
【００５０】
図４に示すように、登録操作の開始は、まず、ユーザー１０が主情報機器１に対して操作Ｓ１１を行う。この操作Ｓ１１は、主情報機器１に対して、予め登録する機器（副情報機器３）を探索するように指示する操作であり、この指示を受けて、主情報機器１は通信部を介して周囲の副情報機器３を探索（探索通信Ｔ１）する。
【００５１】
同様に、それぞれが有する通信部を介して、探索通信Ｔ１を受信した副情報機器３は応答通信Ｒ１を行う。主情報機器１はこの応答通信Ｒ１を受信して、その旨を表示する。主情報機器１にその旨を表示されて、副情報機器３からの応答通信Ｒ１を確認したユーザー１０は、主情報機器１にこの副情報機器３を登録する操作Ｓ１２を行い、主情報機器１は応答通信Ｒ１に含まれる副情報機器３に対応した情報を保存する。
【００５２】
副情報機器３を特定する情報には、ＭＡＣアドレス、ＳＳＩＤ（Service set identifier）、Device information等の情報が含まれる。これらの情報は、主情報機器１の記憶装置１４に格納される。
【００５３】
次に、図５に示す映像処理装置と情報機器との接続操作について説明する。ユーザー１０は、主情報機器１を映像処理装置２に接続する際に、まず、接続可能な映像処理装置があるか否かを探索させる操作Ｓ１１Ａを行う。すると、主情報機器１は周囲の映像処理装置を探索（探索通信Ｔ２）し、探索通信Ｔ２を受信した映像処理装置２は応答通信Ｒ２を行う。
【００５４】
通信可能な映像処理装置２が在ることを確認したユーザー１０は、この映像処理装置２を選択して自動接続命令を発信させる操作Ｓ１２Ａを行い待機状態となる。自動接続命令通信Ｐ１を受信した映像処理装置２は、この自動接続命令通信Ｐ１に含まれる副情報機器３を特定する情報（登録データ）に合致する情報機器３を探索（探索通信Ｔ３）する。
【００５５】
探索通信Ｔ３を受信した副情報機器３は応答通信Ｒ３を行う。副情報機器３からの応答通信Ｒ３を受信した映像処理装置２は、副情報機器３を特定する情報（登録データ）に合致するか否かの情報照合を行い、自動接続命令通信Ｐ１に含まれる情報と応答通信Ｒ３に含まれる情報が合致した場合には、当該情報機器３が接続すべき機器であると認識して、この副情報機器３と接続（接続処理Ｃ２）し、主情報機器１に対して自動接続完了を通知する。すなわち、映像処理装置２と副情報機器３とが接続（カップリング）された状態となった時に、自動接続が完了したことを通知する接続完了通信Ｐ２を行う。また、この通信はＵＤＰ通信（Multicast）でよい。
【００５６】
接続完了通信Ｐ２を受信した主情報機器１は、待機状態を終了し、映像処理装置２と副情報機器３とが一体に接続されたことを認識し、映像処理装置２との接続処理Ｃ３を開始する。すなわち、主情報機器１が、映像処理装置２と副情報機器３との接続を認識した時に、接続体制が確立したことになる。
【００５７】
一方、従来方法による接続操作について図６を用いて説明する。ユーザー１０が主情報機器１ａの映像データと音声データを、それぞれ映像処理装置２ａと副情報機器３ａに送信して同時に使用したい場合には、まず、映像処理装置２ａと副情報機器３ａとのカップリング接続操作をユーザー１０自身が行う。
【００５８】
そのため、ユーザー１０は、映像処理装置２ａに対して、接続可能な情報機器があるか否かを探索させる操作Ｓ３１を行う。すると、映像処理装置２ａは周囲の情報機器を探索（探索通信Ｔ１１）し、探索通信Ｔ１１を受信した情報機器３ａからの応答通信Ｒ１１を受信したら、この情報を表示する。すなわち、ユーザー１０に対して情報機器３ａから応答があったことを通知（確認通知Ｄ１）する。
【００５９】
ユーザー１０は、この情報機器３ａを選択して映像処理装置２ａとの接続を許可する操作Ｓ３２を行う。そして、映像処理装置２ａは情報機器３ａとの接続（カップリング）を実行する接続処理Ｃ１１を開始する。
【００６０】
その後、ユーザー１０は、主情報機器１ａと映像処理装置２ａとの接続操作を行う。すなわち、操作Ｓ３３により機器探索（探索通信Ｔ１２）させ、映像処理装置２ａからの応答（応答通信Ｒ１２）を確認して、映像処理装置２ａを選択（操作Ｓ３４）し、接続操作を開始（接続処理Ｃ１２）する。
【００６１】
すなわち、従来方法では、映像処理装置２ａと副情報機器３ａとの接続を予め完了しておく必要があり、さらに、この接続操作の後に、これらと主情報機器１ａとを新たに接続する計２回の接続操作が必要であった。この際の実操作は、操作Ｓ３１〜Ｓ３４の合計４回となる。
【００６２】
従って、ユーザー１０が所有する主情報機器１ａと副情報機器３ａを持ち出して、外部の映像処理装置２ａ、例えば、ホテルの液晶テレビや会社の大型の映像処理装置など、にミラーリングしたい場合には、計２回の接続操作で合計４回の実操作が必要となる。しかし、図５に示す本実施形態に係る接続方法および接続システムに適合した機器を用いた構成によれば、ユーザー１０が所有する主情報機器１に、ユーザー１０が使用したい副情報機器３を特定する情報を予め登録しておき、外部の映像処理装置２にミラーリングする場合には、この映像処理装置２に対して副情報機器３を特定する情報を含む自動接続命令を発信するだけでよい。
【００６３】
上記したように、従来方法では、探索操作Ｓ３１と接続操作Ｓ３２と探索操作Ｓ３３と接続操作Ｓ３４が必要であったが、本実施形態に係る接続方法および接続システムによれば、探索操作Ｓ１１と登録操作Ｓ１２と探索操作Ｓ１１Ａと自動接続操作Ｓ１２Ａとでよいことになる。すなわち、従来方法では、２回の接続操作（接続操作Ｓ３２と接続操作Ｓ３４）が必要であったが、本発明方法によれば、１回の自動接続操作Ｓ１２Ａだけでよいことになる。
【００６４】
主情報機器１が自動接続命令を発信した後は、この自動接続命令を受信した映像処理装置２が自動的に、予め登録された接続可能な副情報機器３を探索して接続し、接続が完了したことを主情報機器に通信して接続体制が確立するので、この後、ミラーリング処理を実行すればよい。すなわち、本発明方法によれば、映像処理装置２が変わっても、同時に使用する副情報機器３を予め登録しておくことにより、使用したい映像処理装置２に対して自動接続命令を発するだけで、主情報機器１に映像処理装置２を含む複数の情報機器の接続体制が確立可能になるので、接続操作が簡便で容易になる。
【００６５】
次に、１個のパケットデータを複数回送信して同じパケットデータを予め定める所定回数受信することにより自動接続の受け入れを決定する構成とした第１実施形態と、複数個に分割されたパケットデータおよび送信完了信号を受け取った際に、自動接続の受け入れを決定する構成とした第２実施形態について、さらに説明する。
【００６６】
〈第１実施形態〉
まず、図７を用いて第１実施形態の映像処理装置と情報機器との接続方法および接続システムについて説明する。図７は、本発明に係る映像処理装置２と主情報機器１との接続操作における自動接続受け入れが完了するまでの第１実施形態例を示すフローチャートである。
【００６７】
接続操作のスタートは、操作Ｓ１３の自動接続命令複数回発信から始まる。この操作Ｓ１３は、副情報機器３を特定する情報（登録データ）を含む自動接続命令を１個のパケットデータにして複数回送信する自動接続命令発信工程である。この際の複数回Ｘ回は、例えば５回であり、３〜１０回程度の中から予め定めておく回数である。
【００６８】
また、この発信は前述したようにＵＤＰ（Multicast/Unicast）通信であり、この通信を受信（ステップＳ２１）した映像処理装置２は、接続機器情報が含まれているか否かを確認（ステップＳ２２）し、接続機器情報が含まれていることを確認した場合には図のＹＥＳ方向に進み、接続機器情報を記憶装置に格納（ステップＳ２３）する。
【００６９】
それから、ステップＳ２４の格納する情報が複数回一致するか否かを確認する格納情報一致確認処理を行う。ここで言う複数回とは、予め定める所定回数（Ｙ回）であって、前述したＸ回よりも少ない回数でもよい。すなわち、Ｘ＞Ｙ＞１となったことを確認する（ステップＳ２５）と、図のＹＥＳ方向に進み、接続情報が確定（ステップＳ２６）され、自動接続工程を実施する。この後、自動接続が完了してステップＳ２７の主情報機器１との接続処理へ遷移する。
【００７０】
例えば、主情報機器１がＵＤＰ通信により５回（Ｘ＝５）自動接続命令を発信したときに、映像処理装置２が同じパケットデータを少なくとも２回以上の所定回数受信した時に、自動接続命令を受け入れるようにすればよい。
【００７１】
また、ステップＳ２２で接続機器情報がないことが確認されると、主情報機器１と映像処理装置２とを１：１に接続すればよいと判断できるので、ステップＳ２７の主情報機器１との接続処理へ遷移する。また、ステップＳ２５で情報機器３の登録データが所定回数一致していることが確認されない場合には、図のＮＯ方向に進みステップＳ２１の受信状態に戻るとよい。
【００７２】
また、自動接続工程が成功しない場合にも、映像処理装置２が単独に主情報機器１と接続されることが好ましい。この構成であれば、ＵＤＰ通信方式による自動接続命令発信受信したときに、接続すべき他の機器がないことを確認した場合や、近くに接続すべき副情報機器３がなくて接続できない場合には、主情報機器１と映像処理装置２とが１：１に接続可能になる。
【００７３】
〈第２実施形態〉
次に、図８を用いて第２実施形態の映像処理装置と情報機器との接続方法および接続システムについて説明する。図８は、本発明に係る映像処理装置２と主情報機器１との接続操作における自動接続受け入れが完了するまでの第２実施形態例を示すフローチャートである。
【００７４】
接続操作のスタートは、操作Ｓ１３の自動接続命令複数回発信から始まる。この操作Ｓ１３は、副情報機器３を特定する情報（登録データ）を含む自動接続命令を複数個に分割したパケットデータをパケットナンバーを付して送信する自動接続命令発信工程であって、No.１のパケットデータを発信する操作１３Ａと、No.２のパケットデータを発信する操作１３Ｂと、ラストのパケットデータを発信する操作１３Ｃを含む。また、ラストのパケットデータを発信する操作１３Ｃは送信完了情報を含む。
【００７５】
この発信も前述したようにＵＤＰ（Multicast/Unicast）通信であり、この通信を受信（ステップＳ２１）した映像処理装置２は、接続機器情報が含まれているか否かを確認（ステップＳ２２）し、接続機器情報が含まれていることを確認した場合には図のＹＥＳ方向に進み、接続機器情報を含むパケットデータを保存（ステップＳ２３Ａ）する。
【００７６】
それから、各パケットデータに含まれる副情報機器３を特定する情報（登録データ）が一致するか否かを確認するステップＳ２４Ａの情報一致確認処理実施を行い、ステップ２５Ａの情報一致確認ＯＫか否かの判定を行う。これらの処理を経て、接続機器情報である情報機器３を特定する情報が一致していることが確認されると、図のＹＥＳ方向に進み、ステップＳ２５Ｂの送信完了情報があるか否かを確認する。
【００７７】
ステップＳ２５Ｂで送信完了情報があることが確認されると、図のＹＥＳ方向に進み、ステップＳ２５ＣのパケットNo.が全て揃っているか否かを確認して、全て揃っていることが確認されるとステップＳ２６Ａで接続情報が確定され、自動接続工程が開始される。
【００７８】
また、ステップ２５Ａで情報機器３を特定する情報が一致していることが確認されない場合、および、ステップＳ２５Ｂでの送信完了情報がない場合やステップＳ２５ＣでのパケットNo.が全て揃っていない場合には、図のＮＯ方向に進みステップＳ２１の受信状態に戻るとよい。
【００７９】
自動接続工程を介して映像処理装置２と接続機器（副情報機器３）との接続が完了すると、ステップＳ２７の主情報機器１との接続処理へ遷移に移行する。すなわち、自動接続が完了してミラーリングＯＫとなる。
【００８０】
また、この実施形態においても、ステップＳ２２で接続機器情報がないことが確認されると、主情報機器１と映像処理装置２とを１：１に接続すればよいと判断できるので、ステップＳ２７の主情報機器１との接続処理へ遷移する。また、自動接続工程が成功しない場合にも、映像処理装置２が単独に主情報機器１と接続されることが好ましい。この構成であれば、ＵＤＰ通信方式による自動接続命令発信受信したときに、接続すべき他の機器がないことを確認した場合や、近くに接続すべき副情報機器３がなくて接続できない場合には、主情報機器１と映像処理装置２とが１：１に接続可能になって、所定のミラーリング操作を実行できる。
【００８１】
上記したように、本実施形態に係る映像処理装置２は、主情報機器１が発信する副情報機器３を特定する情報を含む自動接続命令発信を受信する受信部と、当該自動接続命令を受信したときに自動接続の受け入れを決定する自動接続受け入れ決定部と、自動接続を受け入れて関連する副情報機器３を探索して自動接続する自動接続部と、副情報機器３との接続を完了したことを送信する接続完了送信部と、を有すると言える。また、本実施形態に係る情報機器（主情報機器１）は、副情報機器３を予め登録しておく登録部と、映像処理装置２と副情報機器３を含む複数の機器と相互に通信可能な通信部と、副情報機器３を特定する情報を含む自動接続命令を発信する自動接続命令発信部と、自動接続命令を受け入れて副情報機器３を探索して接続した映像処理装置２が発信する接続完了信号を受信して接続が完了したことを認識する接続完了認識部、を有すると言える。
【００８２】
次に、図９〜図１１を用いて、本発明の好ましい適用例について説明する。図９は、本発明の好ましい第１の適用例を説明する概略説明図であり、図１０は、好ましい第２の適用例であり、図１１は、好ましい第３の適用例である。
【００８３】
〈第１の適用例〉
図９に示す第１の適用例は、ユーザーが所有する主情報機器１と副情報機器３（優れた音声出力機能を有する音声出力機器）を、外部（例えば、会社５）にある大型の映像処理装置２に接続して、主情報機器１が出力する画像データと音声データをミラーリングする例である。
【００８４】
ユーザーは自宅４に主情報機器１と副情報機器３を有しているので、主情報機器１に副情報機器３を特定する情報を予め登録しておくことができる。しかし、会社５にある映像処理装置２とは、その場で接続操作を行う必要がある。
【００８５】
そこで、本発明に係る映像処理装置と情報機器との接続方法および接続システムを採用することで、主情報機器１の１回の接続操作によりこれらを一体に接続可能になる。すなわち、予め、副情報機器３を特定する情報を登録しておき、この登録情報を含む自動接続命令を映像処理装置２に送信することで、映像処理装置２が接続すべき機器があるか否かを自動的に探索して見つけ出し、副情報機器３自動的に接続する。そして、主情報機器１と映像処理装置２と副情報機器３が一体に接続可能になる。
【００８６】
また、この自動接続命令を発信する手段としてＵＤＰ（Multicast/Unicast）通信を用いているので、主情報機器１と映像処理装置２との接続確立前に、副情報機器３と映像処理装置２との接続操作を自動的に行うことが可能となる。
【００８７】
また、送達応答せず接続関係を確立しないＵＤＰ通信方式による簡便な自動接続命令発信手段であっても、これを複数回連続して発信し、外部の映像処理装置がこの自動接続命令発信を所定回数受信した時に、自動接続を受け入れることを決定するので、誤作動する可能性を低くすることができる。
【００８８】
〈第２の適用例〉
図１０に示す第２の適用例は、ユーザーが所有する主情報機器１と副情報機器３（優れた音声出力機能を有する音声出力機器）を、車６（自家用車またはレンタカー）に搭載した映像処理装置に接続して、主情報機器１が出力する画像データと音声データをミラーリングする例である。
【００８９】
車６に搭載した装置が十分な音響設備を持たない場合、ユーザーが所有する高性能なポータブル音響機器を容易に接続可能になる。また、車６がレンタカーである場合には、初回接続が想定されるので、初めて接続する映像処理装置に対して容易に操作可能な本発明方法がさらに有効になる。
【００９０】
〈第３の適用例〉
図１１に示す第３の適用例は、副情報機器３が複数の機器から成り、映像処理装置２は、複数の副情報機器３を接続機器として認識する例である。例えば、ユーザーが所有する主情報機器１がゲーム機器のコントローラー親機であって、副情報機器３が複数の子機３Ａ、３Ｂ、３Ｃから成る。そして、自宅以外の場所にある大型の映像処理装置２に接続して使用可能にした例である。
【００９１】
この場合でも、映像処理装置２が初めて接続する機器であっても、複数の子機３Ａ、３Ｂ、３Ｃを特定する情報を予め登録しておき、この登録情報を含む自動接続命令を映像処理装置２に送信することで、映像処理装置２が接続すべき情報機器（接続機器）があるか否かを自動的に探索して見つけ出し、複数の子機３Ａ、３Ｂ、３Ｃを接続機器として認識して、自動的に接続して、一体に使用可能になる。
【００９２】
従って、大人数でのゲームプレイ時に容易にゲーム機器と複数のコントローラーを一度に、また、容易に接続できるようになって有効になる。
【００９３】
上記したように本発明に係る映像処理装置と情報機器との接続方法は、主情報機器１を副情報機器３と映像処理装置２に接続する際に、主情報機器１に予め副情報機器３を特定する情報を登録しておく登録工程と、主情報機器１から副情報機器３を特定する情報を含む自動接続命令を発信する自動接続命令発信工程と、自動接続命令を受信した映像処理装置２が独自に自動接続を受け入れることを決定する自動接続受け入れ決定工程と、自動接続を受け入れた映像処理装置２が関連する情報機器を探索して副情報機器３と接続する自動接続工程と、副情報機器３との接続を完了した映像処理装置２が主情報機器１に接続が完了したことを送信する接続完了信号送信工程と、接続完了信号を受け取った主情報機器１が映像処理装置と副情報機器との接続操作が完了したことを認識する接続完了認識工程とを有する接続方法である。
【００９４】
この構成であれば、ユーザーが有する情報機器（主情報機器１）を副情報機器３と映像処理装置２に接続する際に、予め所定の機器を登録しておき、初めて接続する外部の映像処理装置２に対して副情報機器３を特定する情報（登録データ）を含む自動接続命令を発信するだけで、この映像処理装置２が接続すべき他の機器を独自に検索して自動的に接続して、接続操作が完了するので、簡便な接続操作で複数の機器同士（映像処理装置２と副情報機器３）を接続して主情報機器１との接続体制を容易に確立可能にする映像処理装置と情報機器との接続方法を得ることができる。
【００９５】
また、自動接続命令発信工程は、ＵＤＰ通信方式により、所定のパケットデータを複数回連続して送信する連続送信であり、自動接続受け入れ決定工程は、同じパケットデータを予め定める所定回数受信することにより自動接続の受け入れを決定するようにしている。この構成であれば、送達応答せず接続関係を確立しないＵＤＰ通信方式による簡便な自動接続命令発信手段であっても、これを複数回連続して発信し、映像処理装置２がこの自動接続命令発信を所定回数受信した時に、自動接続を受け入れることを決定するので、誤作動する可能性を低くすることができる。
【００９６】
また、自動接続命令発信工程は、所定の自動接続命令を複数のパケットデータに分割して連続的なパケットナンバーを付して送信する連続送信であってもよい。この場合には、最後のパケットデータに送信完了情報を添付すると共に、自動接続受け入れ決定工程は、連続したパケットデータの全てと送信完了信号を受信することにより自動接続の受け入れを決定することが好ましい。この構成であっても、映像処理装置２がこのパケットデータを全て受信した時に、自動接続を受け入れることを決定するので、誤作動する可能性が低くなって、主情報機器１と映像処理装置２と副情報機器３との接続体制を容易に確立することができる。
【００９７】
また、本発明に係る映像処理装置と情報機器との接続システムは、主情報機器１に予め副情報機器３を特定する情報を登録しておく登録手段と、主情報機器１からＵＤＰ通信方式による発信するパケットデータであり副情報機器３を特定する情報を含む自動接続命令を発信する自動接続命令発信手段と、自動接続命令を受信した映像処理装置２が独自に自動接続を受け入れることを決定する自動接続受け入れ決定手段と、自動接続を受け入れた映像処理装置２が関連する副情報機器３を探索して接続する自動接続手段と、副情報機器３との接続が完了した映像処理装置２が主情報機器１に接続が完了したことを送信する接続完了送信手段と、当該完了送信を受け取った主情報機器１が映像処理装置２と副情報機器３との接続操作が完了したことを認識する接続完了認識手段とを有する接続システムとしている。
【００９８】
この構成であれば、登録手段を介して予め副情報機器３を特定する情報を登録しておき、自動接続命令発信手段を介して副情報機器３を特定する情報を含む自動接続命令を発信し、自動接続受け入れ決定手段と自動接続手段を介して接続すべき副情報機器３を映像処理装置２が独自に探索して接続可能になる。また、映像処理装置２が接続完了送信手段を介して接続が完了したことを主情報機器１に送信するので、簡便な接続操作で複数の機器同士（映像処理装置２と副情報機器３）を接続して主情報機器１との接続体制を容易に確立可能にする映像処理装置と情報端末装置との接続システムを得ることができる。
【００９９】
また本発明に係る映像処理装置は、上記構成の映像処理装置と情報機器との接続方法および接続システムに好適に用いられる映像処理装置２であって、主情報機器１と副情報機器３とを含む複数の機器と相互に通信可能に接続する通信部２４と、該通信部２４を介して取得した映像情報を表示する映像表示部２２とを備え、主情報機器１が発信する副情報機器３を特定する情報を含む自動接続命令発信を受信する受信部と、当該自動接続命令発信を受信して自動接続の受け入れを決定する自動接続受け入れ決定部と、自動接続を受け入れて関連する副情報機器３を探索して自動接続する自動接続部と、副情報機器３との接続を完了したことを送信する接続完了送信部と、を有する。
【０１００】
この構成であれば、主情報機器１が発信する自動接続命令を受信して自動接続の受け入れを決定して、接続すべき機器を自動的に探索して接続するので、簡便な接続操作により副情報機器３との接続を確立することが可能になる。
【０１０１】
また本発明に係る情報機器（主情報機器１）は、上記構成の映像処理装置と情報機器との接続方法および接続システムに好適に用いられる情報機器である。また、副情報機器３を特定する情報を予め登録しておく登録部と、映像処理装置２と副情報機器３を含む複数の機器と相互に通信可能な通信部と、副情報機器３を特定する情報を含む自動接続命令を発信する自動接続命令発信部と、自動接続を受け入れて副情報機器３を探索して自動的に接続した映像処理装置２が発信する接続完了信号を受信して、映像処理装置と副情報機器との接続が完了したことを認識する接続完了認識部と、を有する。
【０１０２】
この構成であれば、副情報機器３を特定する情報を含む自動接続命令信号を発信するだけで、映像処理装置２がこの自動接続命令信号を受信して自動接続を受け入れることを決定するので、映像処理装置２や副情報機器３との接続体制を容易に問題なく確立することができる。すなわち、簡便な接続操作で複数の機器同士を容易に接続する映像処理装置と情報機器との接続方法に適した情報機器（主情報機器１）を得ることができる。
【０１０３】
また、上記で説明した映像処理装置２は、大きな画面を有する映像処理装置が好ましいので、大画面化が進んでいるＴＶ装置のような映像処理装置であってもよい。この構成によると、家庭用のＴＶ装置を用いて、ユーザーが所有する情報機器が保有する映像データを大画面に表示すると共に、音声データは、ユーザーが別に所有する良好な音響効果を発揮する音声出力機器を用いることができる。
【０１０４】
上記構成のＴＶ装置であれば、ＴＶ放送を視聴する従来の使用に加えて、ユーザーが保有する情報機器の操作を大きな画面上で行うことができると共に、初めて接続する情報機器であっても、簡単な接続操作で容易に接続できてユーザビリティが向上する。
【０１０５】
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更が含まれる。
【０１０６】
例えば、主情報機器１に映像表示機能を有する映像処理装置２と音声出力機能を有する副情報機器３を接続する構成として説明したが、本発明はこれに限らず、主情報機器１に、映像表示機能を有する複数の映像処理装置を接続する構成でも、音声出力機能を有する複数の副情報機器を接続する構成でも、映像表示機能と音声出力機能を共に有する複数の映像処理装置を接続する構成であってもよい。
【０１０７】
また、主情報機器１が映像データと音声データを出力する映像再生装置であるとして説明したが、本発明はこれに限らず、テキストデータや画像データを出力する情報機器やパソコンなどでもよく、スマートフォンやタブレット端末や、その他の携帯可能な高機能情報機器であってもよい。
【０１０８】
上記したように、本発明によれば、簡便な接続操作で複数の機器同士を接続して主情報機器との接続体制を容易に確立可能にする映像処理装置と情報機器との接続方法、または、映像処理装置と情報機器との接続システムを得ることができ、また、このような接続方法および接続システムに適応した映像処理装置および情報機器を得ることができる。
【産業上の利用可能性】
【０１０９】
そのために、本発明に係る映像処理装置と情報機器との接続方法および接続システムは、ユーザーが有する情報機器を外部の映像処理装置に初めて接続して使用する際に、簡便な接続操作で接続したい場合に好適に適用することができる。
【符号の説明】
【０１１０】
１    主情報機器
２    映像処理装置
３    副情報機器
１０    ユーザー
Ｃ１    自動接続操作
Ｃ２    接続処理
Ｃ３    接続処理
Ｔ１    探索通信
Ｔ２    探索通信
Ｔ３    探索通信
Ｕ１    音声情報通信
Ｕ２    映像情報通信
Ｓ１３  自動接続命令複数回発信
【図１】
2015019198.tif 000003
【図２】
2015019198.tif 000004
【図３】
2015019198.tif 000005
【図４】
2015019198.tif 000006
【図５】
2015019198.tif 000007
【図６】
2015019198.tif 000008
【図７】
2015019198.tif 000009
【図８】
2015019198.tif 000010
【図９】
2015019198.tif 000011
【図１０】
2015019198.tif 000012
【図１１】
2015019198.tif 000013